(57)【要約】【課題】光ドロップケーブル等の引込線をメッセンジャーワイヤから家屋等に引き込む引込線引留具であって、工事の作業を容易にするとともに、所要部品点数を少なくして、コストを軽減する。【解決手段】螺子軸１２が一体に形成された引留具本体１０と、ナット２０とからなり、螺子軸の基部にメッセンジャーワイヤ１を定置し得る窪所１５を形成するとともに、窪所内の底部に支持線２ｂを定置し得る溝１６を形成し、該溝１６に支持線２ｂを定置したうえでメッセンジャーワイヤ１を窪所１５に定置し、ナット２０を螺締することにより該溝１６上にメッセンジャーワイヤ１が覆い被さるように止着する。【選択図】図４
2016021830.tif 000002
【特許請求の範囲】
【請求項１】
螺子軸が一体に形成された引留具本体と、該螺子軸に螺合するナットとからなり、前記螺子軸の基部にメッセンジャーワイヤを定置し得る窪所を形成するとともに、該窪所内の底部に支持線を該底部中央に定置し得る溝を形成し、該溝に支持線を定置したうえでメッセンジャーワイヤを前記窪所に定置し、前記ナットを螺締することにより前記溝上に覆い被さるように前記メッセンジャーワイヤが止着されるようにしたことを特徴とする引込線引留具。
【請求項２】
螺子軸の先端部寄りに該螺子軸を横断状に貫通する貫通孔を形成したことを特徴とする請求項１に記載した引込線引留具。
【発明の詳細な説明】
【技術分野】
【０００１】
本発明は、主として光ドロップケーブル等の引込線をポール間に架設されたメッセンジャーワイヤから家屋等の加入者施設に引き込む際に用いる引込線引留具に関するものである。
【背景技術】
【０００２】
光ドロップケーブル（ドロップ型光ファイバケーブル）は、周知のようにポリエチレンシース内に支持線と光ファイバとを一体的に配設した引込線で、架空から家屋等の加入者施設への光ファイバ線の引き込みを容易にするものである。
図１０にポール間に架設されたメッセンジャーワイヤからこの光ドロップケーブルを家屋に引き込む際の従来から採られている構成を示す。同図中、１はポール間に架設されたメッセンジャーワイヤ、２は該メッセンジャーワイヤに沿って配設された光ドロップケーブルである。５０は該メッセンジャーワイヤ１に分線金物５１を用いて止着したフック金具である。５２は下記特許文献１等に示された引込線引留具で、該引込線引留具５２に突設された掛止環５３を前記フック金物５０に係合するとともに、光ドロップケーブル２の光ファイバ線２ａから支持線２ｂを部分的に分離させ、該支持線２ｂを該引込線引留具５２に巻き付けることにより光ドロップケーブル２が該メッセンジャーワイヤ１から分岐し、家屋等の加入者施設へ向けて方向転換されるようにしている。なお、２ｃは該光ドロップケーブル２の光ファイバ線２ａと支持線２ｂとの分離部に巻着した粘着テープである。
また、図１１は、ポール５５に固定バンド５６によってフック金具５７を固定し、該フック金具に図１０と同様の掛止環５３，引込線引留具５２を係留し、光ドロップケーブル２を該ポール５５から家屋等に引き込むのに従来から採られている構成である。
一方、図１２は、家屋の外壁面５７に固定金具５８をビス５９により固定し、該固定金具５８に形成されたフック部６０に前記と同様に掛止環５３，引込線引留具５２を係留し、前記メッセンジャーワイヤ１または前記ポール５５から引き込まれた光ドロップケーブル２を該外壁面５７に係留する従来からの構成を示す。
【０００３】
また、特許文献２には、引留具本体に螺子軸が形成され、該螺子軸にナットを締め込むことにより、メッセンジャーワイヤに止着できる引込線引留具が示されている。
【先行技術文献】
【特許文献】
【０００４】
【特許文献１】登録実用新案第３１１７５０９号公報
【特許文献２】特開２００３−２８４２２８号公報
【発明の概要】
【発明が解決しようとする課題】
【０００５】
ところで、図１０〜図１２に示した引込線引留具５２を使用して引込工事をするに際しては、光ドロップケーブル２の弛度調整をするために該ケーブルを引っ張りながら、硬い鋼線からなる支持線２ｂを引込線引留具５２に巻き付けなければならないので、弛度調整がうまくできないと何度もやり直したり、鋼線がうまく曲げられないと巻付固定が完全にならずに張力が緩んだり、外れるおそれがある。このためこのような作業に熟練と細心の注意と時間を要するものであった。また、特許文献１に示された引込線引留具を使用するに際しては、メッセンジャーワイヤや通信線補強用の支持線に固定するための分線金具のフック金具、ポールに固定するための分線金具のフック金具、家屋外壁面に固定する固定金具等、それぞれ別の金具を必要とするために、部品点数が多く、コストが高くなるという問題があった。
【０００６】
また、特許文献２に示された引込線引留具を使用するに際しては、支持線を引き留めるための吊具が引留具本体とは別に必要であるとともに、該吊具が強風によって揺れ動くことで該引留具本体のフック部から脱落するおそれがあり、該吊具は絡まり易い形状であったので工場から出荷するに際して梱包に苦慮するという問題がある。
本発明はこのような問題点を解決し得る引込線引留具を提供しようとするものである。
【課題を解決するための手段】
【０００７】
そのために本発明に係る引込線引留具は、螺子軸が一体に形成された引留具本体と、該螺子軸に螺合するナットとからなり、前記螺子軸の基部にメッセンジャーワイヤを定置し得る窪所を形成するとともに、該窪所内の底部に支持線を該底部中央に定置し得る溝を形成し、該溝に支持線を定置したうえでメッセンジャーワイヤを前記窪所に定置し、前記ナットを螺締することにより前記溝上に覆い被さるように前記メッセンジャーワイヤが止着されるようにしたことを特徴とする。
また、本発明は上記引込線引留具において、螺子軸の先端部寄りに該螺子軸を横断状に貫通する貫通孔を形成したことを特徴とする。
【発明の効果】
【０００８】
本発明に係る引込線引留具によれば、支持線巻付作業が不要であり、支持線とメッセンジャーワイヤとが同時に止着されるので工事が容易になるとともに、強風等による脱落のおそれがない。また、所要部品点数が少なく、引込線施工コストが軽減されるとともに、工場からの出荷も容易になる。
【図面の簡単な説明】
【０００９】
【図１】本発明に係る引込線引留具の引留具本体の斜視図。
【図２】本発明に係る引込線引留具の引留具本体の側面図。
【図３】本発明に係る引込線引留具のナットの斜視図。
【図４】本発明に係る引込線引留具の使用状態を示した斜視図。
【図５】図４のＡ−Ａ線断面矢視図。
【図６】本発明に係る引込線引留具の使用状態を示した斜視図。
【図７】図６のＢ−Ｂ線断面矢視図。
【図８】本発明に係る引込線引留具の使用状態を示した斜視図。
【図９】本発明に係る引込線引留具の他の実施形態を示す側面図。
【図１０】従来の引込線引留具の使用状態を示した斜視図。
【図１１】従来の引込線引留具の使用状態を示した斜視図。
【図１２】従来の引込線引留具の使用状態を示した斜視図。
【発明を実施するための最良の形態】
【００１０】
この引込線引留具は、図１，図２に示した合成樹脂製の引留具本体１０と、図３に示した合成樹脂製のナット２０とからなる。一方、メッセンジャーワイヤ１は図４に示したように複数の鋼線からなる撚線であり、光ドロップケーブル２はポリエチレンシース中に光ファイバ線２ａと支持線２ｂとを分離可能に一体的に配設してなるものである。
引留具本体１０は基板部１１に螺子軸１２が一体に形成され、該螺子軸１２の基部を刳るような形態にて切込１３を形成し、該切込１３と相対するように突壁１４を該基板部１１の端縁に一体に形成することにより、メッセンジャーワイヤ１を定置し得る窪所１５を該螺子軸１２と突壁１４との間に形成するとともに、該窪所１５内の底部中央に溝１６を形成し、該溝１６に該支持線２ｂを定置し得るようにしている。なお、１７はこの引留具本体１０の各部の肉厚を均一化するために基板部１１の両側面に形成された凹部、１８も同様に螺子軸１２の肉厚を均一化するために形成された凹部である。そして、該凹部１８内であって、該螺子軸１２の先端部寄りに該螺子軸１２を横断状に貫通する貫通孔１９を形成してなる。
【００１１】
また、ナット２０は、前記螺子軸１２に螺合し得る雌螺子が内周面２１に形成され、一端部の外周縁２２は六角形に形成され、他端部の端面２３は円周方向に山波形が連なる凹凸面状に形成されている。
【００１２】
このように構成した引込線引留具は、図４，図５に使用状態を示したように、ポール間に架設されたメッセンジャーワイヤ１に沿って配設された光ドロップケーブル２の支持線２ｂを適当な部分で光ファイバ線２ａから分離させ、その分離部の両端部に粘着テープ２ｃを巻着し、該支持線２ｂを前記引留具本体１０に形成された溝１６に定置したうえで、メッセンジャーワイヤ１を窪所１５に定置させ、その状態で前記ナット２０を螺子軸１２に螺締することにより、メッセンジャーワイヤ１が溝１６上に覆い被さるように止着される。その際、支持線２ｂの張力を勘案しながらナット２０を螺締することで、該光ドロップケーブル２の弛度調整を的確に行うことができる。なお、ナット２０は、螺子軸１２に螺締することにより凹凸面状の端面２３によりメッセンジャーワイヤ１を押圧し、その凹面部に該メッセンジャーワイヤ１が入り込むことで、該ナット２０の振動等による無用な弛みを防止することができる。こうして、メッセンジャーワイヤ１に沿って配設された光ドロップケーブル２を適当な位置で家屋等の加入者施設に向けて方向転換し配線することができる。
【００１３】
一方、この引込線引留具を使用し、ポールから光ドロップケーブル２を家屋等に向けて配線するには、光ドロップケーブル２の支持線２ｂを引留具本体１０の溝１６に定置したうえで、図６，図７に示したようにナット２０を螺締することにより該支持線２ｂを該溝１６中に止着するとともに、ポール５５に固定バンド５６によってフック金具５７を固定、前記螺子軸１２に形成された貫通孔１９に掛止リング２４を貫挿し、該掛止リング２４をフック金具５７に係着する。
【００１４】
また、図８は、この引込線引留具を使用し、光ドロップケーブル２を家屋の外壁面に係留させた状況を示し、外壁面５７に固定金具５８をビス５９により固定し、該固定金具５８に形成されたフック部６０に前記掛止リング２４を係着させる。このように、この引込線引留具は、溝１６を設けたことで、光ドロップケーブル２の支持線２ｂだけを止着することも可能となる。
【００１５】
なお、溝１６は、図５に示した態様において、支持線２ｂがメッセンジャーワイヤ１によって覆われるようにするためのものであるので、図９に示したようになだらかな窪状に形成しても支持線２ｂを窪所１５の底部のほぼ中央に定置させることができる。また、窪所１５は、突壁１４の内面と切込１３面とが図２に示されたように相対する斜面状となるように形成したことで、多種の太さのメッセンジャーワイヤを該窪所１５中に通すことが可能となる。
またこの実施形態は、メッセンジャーワイヤから光ドロップケーブルを引き込むものについて説明したが、その他の通信線、電線等の引込線を引き込む際に使用することもできる。
【符号の説明】
【００１６】
１      メッセンジャーワイヤ
２      光ドロップケーブル
２ａ    光ファイバ線
２ｂ    支持線
１０    引留具本体
１１    基板部
１２    螺子軸
１３    切込
１４    突壁
１５    窪所
１６    溝
１９    貫通孔
２０    ナット
【図１】
2016021830.tif 000003
【図２】
2016021830.tif 000004
【図３】
2016021830.tif 000005
【図４】
2016021830.tif 000006
【図５】
2016021830.tif 000007
【図６】
2016021830.tif 000008
【図７】
2016021830.tif 000009
【図８】
2016021830.tif 000010
【図９】
2016021830.tif 000011
【図１０】
2016021830.tif 000012
【図１１】
2016021830.tif 000013
【図１２】
2016021830.tif 000014